(57)【要約】      （修正有）【課題】洋式トイレ便座カバーおよび便座を開閉するに際し、便座カバーや便座に触れることなく、直接、素手で清潔に、しかも簡易に開閉を行うことのできる手軽さと強度とを兼ね備えた器具を提供する。【解決手段】洋式トイレ便座カバーおよび便座開閉器具１０は、洋式トイレ便座カバーおよび便座を開閉するための器具であって、便座カバー又は便座の外縁近傍に取り付けて固設するための固設部１と、固設部１の面に対して所定の角度で曲折して連結され、便座カバー又は便座の外縁部から外方に向けて突出される支持部２と、支持部２を介して固設部１から一定距離で離間して設けられる指掛部３と、を備え、指掛部３は、支持部２の外方先端で真円状乃至略円状の構造を有しており、その中央部に中心を一にする真円状乃至略円状の孔部４が設けられているか、又は、窪みを備えている。【選択図】図３
2018047278.tif 000002
【特許請求の範囲】
【請求項１】
洋式トイレ便座カバーおよび便座を開閉するための器具であって、
便座カバー又は便座の外縁近傍に取り付けて固設するための固設部と、
前記固設部の面に対して所定の角度で曲折して連結され、前記便座カバー又は便座の外縁部から外方に向けて突出される支持部と、
前記支持部を介して前記固設部から一定距離で離間して設けられる指掛部と、
を備え、
前記指掛部は、前記支持部の外方先端で真円状乃至略円状の構造を有しており、その中央部に中心を一にする真円状乃至略円状の孔部が設けられているか、又は、窪みを備えている洋式トイレ便座カバーおよび便座開閉器具。
【請求項２】
前記支持部は、側面視で、外方向に従って反り返った構造を有する、請求項１記載の洋式トイレ便座カバーおよび便座開閉器具。
【請求項３】
前記支持部は、平面視で、外方向に従って幅広から幅狭になる構造を有する、請求項１記載の洋式トイレ便座カバーおよび便座開閉器具。
【請求項４】
前記指掛部は、前記支持部の外方先端で真円状乃至略円状の構造を有し、その直径が前記支持部の外方先端の幅と略同一になされている、請求項１記載の洋式トイレ便座カバーおよび便座開閉器具。
【請求項５】
前記指掛部の真円状乃至略円状の直径が３〜４ｃｍの範囲にあり、前記固設部の先端の幅が５〜６ｃｍの範囲にあり、器具全体の長手方向長さが７〜１２ｃｍの範囲にある、請求項４記載の洋式トイレ便座カバーおよび便座開閉器具。
【発明の詳細な説明】
【技術分野】
【０００１】
本発明は、洋式トイレ便座カバーおよび便座を開閉するに際し、便座カバーや便座に触れることなく、直接、素手で清潔に、しかも簡易に開閉を行うことのできる器具に関する。
【背景技術】
【０００２】
従来から、洋式トイレの便座、便座カバー（便蓋）を開閉するとき、手で直接便座に触れることなく、取っ手を便座、便蓋に付けておきそのつまみ部分を支持して開閉する種々の便座開閉用取っ手が提供されている。
【０００３】
これまでに、例えば、「洋式トイレにおける上蓋の開閉、及び便座を上下する場合に指定位置がないため、どこを持てばよいのか一瞬の戸惑い感じる。また、持つ場所によっては非衛生的である。」等の問題を解決する為、洋式トイレの上蓋及び便座を開閉する為の取っ手（つまみ）が開示されている（特許文献１）。
【０００４】
また、洋式トイレの便器に対して開閉可能に取付けられた便座の外縁部から外方に向けて突出されるツマミ部を備え、便座を閉じた状態において、ツマミ部の上面が便座の下面よりも下方に位置している便座用取っ手が開示されている（特許文献２）。
【０００５】
しかしながら、これらの取っ手は、そのつまみ部分が便座や便座カバーから比較的近い距離に存在し、衛生面上の問題が無いとは言い切れない。また、それらの構造上、片手で持ち上げたり下げたりする際にどうしてもある程度の力が必要になる。さらに、取っ手の便座等への取り付け方によっては、外れやすかったり、破損したりする場合もあり、必ずしも強度を備えているものでもない。
【先行技術文献】
【特許文献】
【０００６】
【特許文献１】実開平７−１８９７号公報
【特許文献２】実用新案登録第３１８５１４７号公報
【発明の概要】
【発明が解決しようとする課題】
【０００７】
本発明は、洋式トイレ便座カバーおよび便座を開閉するに際し、便座カバーや便座に触れることなく、直接、素手で清潔に、しかも簡易に開閉を行うことのできる手軽さと強度とを兼ね備えた器具を提供することを目的とする。
【課題を解決するための手段】
【０００８】
本発明者は、前記課題を解決するべく鋭意研究した結果、洋式トイレ便座カバーおよび便座を開閉するために、便座カバー又は便座の外縁近傍に取り付けることのできる、特定の形態を備える器具が、前記目的を達成し得ることの知見を得た。
【０００９】
本発明は、前記知見に基づきなされたもので、下記の発明を提供することにより、その目的を達成したものである。
【００１０】
１．洋式トイレ便座カバーおよび便座を開閉するための器具であって、
便座カバー又は便座の外縁近傍に取り付けて固設するための固設部と、
前記固設部の面に対して所定の角度で曲折して連結され、前記便座カバー又は便座の外縁部から外方に向けて突出される支持部と、
前記支持部を介して前記固設部から一定距離で離間して設けられる指掛部と、
を備え、
前記指掛部は、前記支持部の外方先端で真円状乃至略円状の構造を有しており、その中央部に中心を一にする真円状乃至略円状の孔部が設けられているか、又は、窪みを備えている洋式トイレ便座カバーおよび便座開閉器具。
【００１１】
２．前記支持部は、側面視で、外方向に従って反り返った構造を有する、前記１記載の洋式トイレ便座カバーおよび便座開閉器具。
【００１２】
３．前記支持部は、平面視で、外方向に従って幅広から幅狭になる構造を有する、前記１記載の洋式トイレ便座カバーおよび便座開閉器具。
【００１３】
４．前記指掛部は、前記支持部の外方先端で真円状乃至略円状の構造を有し、その直径が前記支持部の外方先端の幅と略同一になされている、前記１記載の洋式トイレ便座カバーおよび便座開閉器具。
【００１４】
５．前記指掛部の真円状乃至略円状の直径が３〜４ｃｍの範囲にあり、前記固設部の先端の幅が５〜６ｃｍの範囲にあり、器具全体の長手方向長さが７〜１２ｃｍの範囲にある、前記４記載の洋式トイレ便座カバーおよび便座開閉器具。
【発明の効果】
【００１５】
本発明によれば、洋式トイレ便座カバーおよび便座を開閉するに際し、便座カバーや便座に触れることなく、直接、素手で清潔に、しかも簡易に開閉を行うことのできる手軽さと強度とを兼ね備えた器具を提供することができる。
【図面の簡単な説明】
【００１６】
【図１】本発明の一実施形態に係る開閉器具を洋式トイレの便座に取り付けた例を示す概略図である。
【図２】図１の開閉器具を取り付けた洋式トイレの便座を開閉する場合の開閉器具の使用例を示す概略図である。
【図３】本発明の一実施形態に係る開閉器具を示す斜視図である。
【図４】４（ａ）は、本発明の一実施形態に係る開閉器具を示す平面図であり、図４（ｂ）は、図４（ａ）の開閉器具を示す側面図である。である。
【発明を実施するための形態】
【００１７】
以下、本発明について、その好ましい実施形態に基づき図面を用いて詳細に説明する。
本発明の一実施形態は、図１に示すように、洋式トイレ１１の便器に備え付けの便座１２の所望の位置における外縁近傍に取り付けて使用される開閉器具１０である。なお、本実施形態に係る開閉器具１０は、図１に示すような便座１２の外縁近傍に取り付けて使用されるほか、図示しないが、洋式トイレ１１に備え付けの便座カバー（便蓋）に取り付けて同様に使用することができる。
【００１８】
図２に示すように、本実施形態に係る開閉器具１０は、洋式トイレ１１の便座１２に取り付けて開閉しようとする場合に、該開閉器具１０の外方先端部分を指で引っ掛けて、必要に応じ片手で摘んで使用される。
【００１９】
本実施形態に係る開閉器具１０を取り付ける際の位置は、特に制限されず使用に適した位置、便座１２の開閉補助に適した位置に取り付けられるが、洋式トイレ１１の使用者の邪魔にならず、且つ便座１２を開閉する際に上下に動かしやすい位置、例えば、図１及び２に示すように、便座１２の横側中央からやや後部の位置が好ましく、指で軽々と簡易に便座１２を持ち上げられる点で便座１２の横側中央付近が特に好ましい。
【００２０】
本実施形態に係る開閉器具１０は、図３及び図４（ａ）、（ｂ）に示すように、洋式トイレ１１の便座１２の外縁近傍に取り付けて（接合して）固定、設置するための固設部１と、固設部１の面に対して所定の角度θで曲折して連結され、便座１２の外縁部から外方に向けて突出される支持部２と、支持部２を介して固設部１から一定距離で離間して設けられる指掛部３とを備えている。本実施形態に係る開閉器具１０においては、固設部１と支持部２と指掛部３が同一素材（金属又は抗菌効果のある樹脂等）により一体化したものが用いられる。
【００２１】
本実施形態に係る開閉器具１０は、上記のような構造からなるため、洋式トイレ１１の便座１２を開閉する際に、便座１２に触れることなく、直接、素手で清潔に、しかも簡易且つ手軽に開閉を行うことができ、強度も備えている。
【００２２】
本実施形態に係る開閉器具１０が備える固設部１は、洋式トイレ１１の便座１２の外縁近傍に取り付けて固定、設置される。本実施形態では、図３に示すように、開閉器具１０の幅方向に細長の平坦な固設部１の上部に両面テープＴが予め貼り付けられており、固設部１のこの面と便座１２に固設しようとする外縁近傍の面（便座１２の下面又は内側面）とを接合（貼着）することで、固定、設置される。本実施形態では、このように両面テープＴを備える固設部１を便座１２の外縁近傍の所望箇所に接触させるだけで、強度があり、取り外れにくい器具とすることができる。
【００２３】
なお、開閉器具１０の便座１２への取り付け方法としては、かかる両面テープで固定する方法のほか、ボルト留めでもよく、使用者の選択により適宜な取り付け方法を採用することができる。ボルト留めの場合は、開閉器具１０の固設部１及び便座１２の設置箇所それぞれの１又は数カ所に穴を開け、ボルト及び必要に応じてナット等を用いて固定することができる。
【００２４】
支持部２は、固設部１の面に対して所定の角度θで曲折して連結され、便座１２の外縁部から外方に向けて突出されている。支持部２が固設部１と折れ曲がって連結された構造であるため、テコの原理により、便座１２を上方に持ち上げる際の力が少なくて済み、開閉を容易にできる。
【００２５】
かかる支持部２の面と固設部１の面とのなす角度θは、例えば９０°〜１８０°未満の範囲で適宜設定できるが、開閉器具１０による便座１２の開閉をより手軽にでき、強度が十分となる観点で、１２５°〜１６５°が好ましく、１４０°〜１５０°が一層好ましい。
【００２６】
図４（ａ）に示すように、支持部２は、平面視で、外方向に従って幅広から幅狭になる構造を有している。また、図４（ｂ）に示すように、支持部２は、側面視で、外方向に従って反り返った構造を有している。すなわち、支持部２は、下側部分に曲率半径を有する構造の曲面となっている。支持部２がこのような構造を有することで、開閉器具１０全体の強度を上げるとともに便座１２を上下に移動しやすくすることができる。
【００２７】
本実施形態に係る開閉器具１０は、特に強度を高めて器具の破損を防止できる観点から、支持部２の連結部から固設部１にかけて（便座１２側に向かう方向に従って）、平面視で、さらに幅が末広がりの構造となっている。この場合、支持部２及び固設部１の幅に相当する両外縁の曲線が、便座１２側に向かう方向に従って、徐々に曲率半径が小さくなるように構成されている。
【００２８】
また、開閉器具１０の強度を高めるために、固設部１における便座１２側の外縁は、直線ではなく、切り欠き凹弧状の曲線になっている。固設部１は、幅方向中央部の長さ（外縁と支持部２との距離）が最も短く、幅方向両端部の長さ（同距離）が最も長くなっている。また、固設部１の支持部２と対抗する両端部は、角度が９０°未満の鋭角状に構成され、かかる構造により便座１２への安定した設置が可能となる。
【００２９】
指掛部３は、支持部２を介して固設部１から一定距離で離間して位置するように設けられ、支持部２の外方先端で真円状乃至略円状の構造を有している。本実施形態では、図４（ａ）に示すように、支持部２の面の外方端部に、指掛部３の半円部が埋め込まれた状態となっている。かかる指掛部３は、使用者が指をかけて便座１２の開閉を補助し易いように、真円状乃至略円状の構造の中央部に、該構造の中心を一にする真円状乃至略円状の孔部４が設けられている。
【００３０】
なお、本実施形態では、指掛部３は孔部４を設けてリング状としているが、使用者の使用し易さと怪我の防止のために、孔部４を設けることなくこれと同径の窪みを備えることもできる。さらには、同様の理由で、孔部４を備えた指掛部３に対して表面上に樹脂フィルム、好ましくは抗菌性の樹脂フィルム等を貼着し、孔を閉じた指掛部３とすることもできる。
【００３１】
本実施形態に係る開閉機器１０の大きさについては、図４（ａ）及び（ｂ）に示すように、全体の長手方向長さｌが７〜１２ｃｍの範囲にあり、幅方向長さは固設部１の先端の幅ｍが５〜６ｃｍの範囲にあり、指掛部３の真円状乃至略円状の直径ｎが３〜４ｃｍの範囲にあり、指掛部３に設けられた孔部４の直径ｏが１．５〜２ｃｍの範囲にあることが好ましい。また、固設部１の支持部２までの長さ（便座１２に接する部分）ｐは、１〜３ｃｍの範囲に設定できる。ｐは、固設部１を両面テープＴで固定する場合には１〜１．５ｃｍとすることが好ましいが、固設部１をボルト等で固定する場合には２〜３ｃｍとすることができる。これに伴い、衛生面上問題のないように支持部２をある程度の長さで介在させて器具１０の全長ｌを設定することが好ましい。
【００３２】
本実施形態では、指掛部３の直径ｎが支持部２の外方先端の幅と略同一になされている。このような構造を有することで、開閉器具１０全体の強度を十分なものとすることができる。
【００３３】
特に、開閉機器１０の強度と使用者による開閉容易性の向上の観点から、開閉器具１０全体の長手方向長さｌと指掛部３の真円状乃至略円状の直径ｎとの比（ｌ：ｎ）は、７：４〜１０：３であることが好ましい。
また、同様の観点から、固設部１の先端の幅ｍと指掛部３の真円状乃至略円状の直径ｎとの比（ｍ：ｎ）は、５：４〜２：１であることが好ましい。
【００３４】
本実施形態に係る開閉器具１０の素材としては、便座カバーや便座１２に取り付けが可能であれば特に制限されず、例えば、抗菌処理加工された樹脂素材、アルミ素材、金属素材、プラスチック素材、木製素材等が挙げられる。特に、衛生面上望ましい点から抗菌処理加工された抗菌効果のある樹脂製の素材が好ましく、強度を向上できる・曲がりにくくする点から金属素材が好ましい。
【００３５】
なお、本発明においては、前述した実施形態のほか、適宜に変更した実施形態とすることもできる。
【産業上の利用可能性】
【００３６】
本発明は、洋式トイレ便座カバーおよび便座を開閉するに際し、便座カバーや便座に触れることなく、直接、素手で清潔に、しかも簡易に開閉を行うことのできる手軽さと強度とを兼ね備えた器具として、産業上の利用可能性を有する。
【符号の説明】
【００３７】
１０：洋式トイレ便座カバーおよび便座開閉器具
１：固設部
２：支持部
３：指掛部
４：孔部
１１：洋式トイレ（便器）
１２：便座
【図１】
2018047278.tif 000003
【図２】
2018047278.tif 000004
【図３】
2018047278.tif 000005
【図４】
2018047278.tif 000006